(57)【要約】【課題】ハリスの長さ寸法を正確に計測し得るハリスケースを提供する。【解決手段】側端縁を相互に枢結した２個の細長矩形状の第１ケース半体１と第２ケース半体２を有するハリスケースに於て、ハリス長さ規定手段１０を備え、ハリス長さ規定手段１０は、第１ケース半体１に貫設した長手方向のスリット１１と、スリット１１内に配設したガイド細杆１２と、ガイド細杆１２に沿ってスライド可能な複数個の釣針掛け具１３，１３と、を備え、さらに、釣針掛け具１３は、ガイド細杆１２及び／又はスリット１１の内面に対して摩擦抵抗をもってスライド可能であり、かつ、スリット１１に沿ってハリス長さ寸法を計測するためのメジャー１４を設けている。【選択図】図１
2017012106.tif 000002
【特許請求の範囲】
【請求項１】
ハリス長さ規定手段（１０）を備えたことを特徴とするハリスケース。
【請求項２】
側端縁を相互に枢結した２個の細長矩形状の第１ケース半体（１）と第２ケース半体（２）を有するハリスケースに於て、
ハリス長さ規定手段（１０）を備え、
該ハリス長さ規定手段（１０）は、上記第１ケース半体（１）に貫設した長手方向のスリット（１１）と、該スリット（１１）内に配設したガイド細杆（１２）と、該ガイド細杆（１２）に沿ってスライド可能な複数個の釣針掛け具（１３）（１３）と、を備え、さらに、上記釣針掛け具（１３）は、上記ガイド細杆（１２）及び／又は上記スリット（１１）の内面に対して摩擦抵抗をもってスライド可能であり、かつ、上記スリット（１１）に沿ってハリス長さ寸法（Ｌ１）（Ｌ２）を計測するためのメジャー（１４）を設けたことを特徴とするハリスケース。
【請求項３】
上記メジャー（１４）は、上記第１ケース半体（１）の内面（１Ａ）及び外面（１Ｂ）に設けられている請求項２記載のハリスケース。
【請求項４】
側端縁を相互に枢結した２個の細長矩形状の第１ケース半体（１）と第２ケース半体（２）を有するハリスケースに於て、
ハリス長さ規定手段（２０）を備え、
該ハリス長さ規定手段（２０）は、上記第１ケース半体（１）の内面（１Ａ）に長手方向に沿ってメジャー（２１）を設け、かつ、該メジャー（２１）に沿って所定の摩擦抵抗をもってスライド可能な複数個の釣針掛け具（２２）（２２）を備えたことを特徴とするハリスケース。
【発明の詳細な説明】
【技術分野】
【０００１】
本発明は、ハリスケースに関する。
【背景技術】
【０００２】
従来、ヒンジにより開閉する２個のケース半体の内部に複数本のハリスを収納する細長矩形状のハリスケースが知られている（特許文献１参照）。
また、ハリスの長さ寸法を正確に計測するために、メジャ−を有するハリス長さ規定具が用いられている（特許文献２参照）。
【先行技術文献】
【特許文献】
【０００３】
【特許文献１】特開２００５−２４５３９６号公報
【特許文献２】実公平０５−４２３２３号公報
【発明の概要】
【発明が解決しようとする課題】
【０００４】
しかし、釣る魚の種類、釣り場の地形、その日の天候や水温等の現場の条件によって、ハリスの最適の長さ寸法は変化するので、予めハリスケース内に用意したハリスでは最適の長さ寸法に合ったものが無いということもあった。
そこで、ハリス長さ規定具を現場に持って行き、その現場の条件に合わせてハリスを最適の長さ寸法に設定していた。従って、ハリスケースと共にハリス長さ規定具を持ち歩く必要があり、荷物が増えて、装備が重くなるという欠点があった。
【０００５】
そこで、本発明は、ハリスの長さ寸法を正確に計測し得るハリスケースを提供することを目的とする。
【課題を解決するための手段】
【０００６】
本発明に係るハリスケースは、ハリス長さ規定手段を備えたものである。
また、側端縁を相互に枢結した２個の細長矩形状の第１ケース半体と第２ケース半体を有するハリスケースに於て、ハリス長さ規定手段を備え、該ハリス長さ規定手段は、上記第１ケース半体に貫設した長手方向のスリットと、該スリット内に配設したガイド細杆と、該ガイド細杆に沿ってスライド可能な複数個の釣針掛け具と、を備え、さらに、上記釣針掛け具は、上記ガイド細杆及び／又は上記スリットの内面に対して摩擦抵抗をもってスライド可能であり、かつ、上記スリットに沿ってハリス長さ寸法を計測するためのメジャーを設けたものである。
【０００７】
また、上記メジャーは、上記第１ケース半体の内面及び外面に設けられているものである。
また、側端縁を相互に枢結した２個の細長矩形状の第１ケース半体と第２ケース半体を有するハリスケースに於て、ハリス長さ規定手段を備え、該ハリス長さ規定手段は、上記第１ケース半体の内面に長手方向に沿ってメジャーを設け、かつ、該メジャーに沿って所定の摩擦抵抗をもってスライド可能な複数個の釣針掛け具を備えたものである。
【発明の効果】
【０００８】
本発明のハリスケースによれば、魚釣りをする現地の条件に合わせて、ハリス長さ寸法を簡単かつ正確に設定できる。ハリスケースと共にハリス長さ規定具を持ち歩く必要がなくなり、荷物が減り、装備を軽くできる。
【図面の簡単な説明】
【０００９】
【図１】本発明の実施の一形態を示した開状態の正面図である。
【図２】本発明の実施の一形態を示した開状態の背面図である。
【図３】図１のＡ−Ａ拡大断面図である。
【図４】本発明のハリスケースの使用状態を示す説明図である。
【図５】本発明のハリスケースの使用状態を示す説明図である。
【図６】本発明の他の実施形態を示した開状態の正面図である。
【図７】図６のＢ−Ｂ拡大断面図である。
【図８】本発明の別の実施形態を示した開状態の断面図である。
【発明を実施するための形態】
【００１０】
以下、実施の形態を示す図面に基づき本発明を詳説する。
図１〜図３に示すように、本発明のハリスケースは、側端縁を相互に枢結した２個の細長矩形状の第１ケース半体１と第２ケース半体２を有し、（第１ケース半体１側に）ハリス長さ規定手段１０を備えている。
第１ケース半体１と第２ケース半体２は、浅皿状に形成され、２個の蝶番３，３によって開閉自在に連結一体化されている。第１ケース半体１と第２ケース半体２には、閉じたときに対向する位置に、マグネット４，４が配設され、マグネット４，４が相互に吸着することで第１ケース半体１と第２ケース半体２が閉状態を維持する。なお、第１ケース半体１と第２ケース半体２は、木材で構成するのが好ましく、合成樹脂あるいは金属で構成しても良い。
【００１１】
ハリス長さ規定手段１０は、第１ケース半体１に貫設した長手方向のスリット１１と、スリット１１内に配設したガイド細杆１２と、ガイド細杆１２に沿ってスライド可能な複数個の釣針（鉤）掛け具１３，１３と、を備え、さらに、スリット１１に沿ってメジャー１４が設けられている。
ガイド細杆１２は、断面円形の棒状に形成され、竹や木で構成するのが好適であり、金属製又は合成樹脂製であって良い。
釣針掛け具１３，１３は、ブロック状のゴム、又は、合成樹脂製の弾性発泡体から成り、ガイド細杆１２が串刺状に挿通されると共に、スリット１１の内面に摺接するように嵌込まれ、所定の摩擦抵抗をもってスライドする。
【００１２】
メジャー１４は、第１ケース半体１の内面１Ａ及び外面１Ｂに設けられている。
第１ケース半体１の内面１Ａに設けたメジャー１４Ａには、前半の目盛りが付けられており、一方、外面１Ｂのメジャー１４Ｂには、第１ケース半体１の厚みを考慮して内面１Ａのメジャー１４Ａの目盛りの終値から空値を置いて、後半の目盛りが付けられている。即ち、メジャー１４は、第１ケース半体１の内面１Ａと外面１Ｂにて連続的に読み取れるように設けられている。なお、メジャー１４は、第１ケース半体１の内面１Ａ及び外面１Ｂに帯尺（帯状メジャー）を接着等で固着するか、あるいは、第１ケース半体１の内面１Ａ及び外面１Ｂに目盛りを付して形成しても良い。
【００１３】
第１ケース半体１は、スリット１１の長手方向一端部（下端部）近傍にピン６が設けられている。第２ケース半体２には、閉じたときにピン６が差し込まれるようにピン収納用孔７が形成されている。また、第１ケース半体１・第２ケース半体２は、釣針を引っ掛けるための横杆５が複数本等ピッチで配設され、ハリスの中間部を嵌め込んで保持する溝８ａを複数本並設したガイド板８と、ハリスの端部を第１ケース半体１の内面１Ａ・第２ケース半体２の内面２Ａに押し付けて保持する押え板９とを、着脱自在に嵌め込まれている。横杆５には、釣針が絡まってしまうのを防止するためのそろばん玉１５，１５がスライド自在に設けられている。
【００１４】
上述した本発明のハリスケースの使用方法（作用）について説明する。
図４に示すように、所望のハリス長さ寸法Ｌ１，Ｌ２に該当するメジャー１４の目盛りに合せるよう複数個の釣針掛け具１３，１３を段差を付けてガイド細杆１２に沿ってスライド移動させると共に、釣針掛け具１３，１３に釣針Ｈ，Ｈを刺して引っ掛ける。次に、ハリス（釣糸）Ｔ，Ｔを真っ直ぐに張り、ピン６に括り付ける。この際、釣針掛け具１３，１３は、摩擦抵抗によって、ハリス（釣糸）Ｔ，Ｔを張った状態で維持する。そして、ハリス（釣糸）Ｔ，Ｔを、ピン６に括り付けた箇所で、チチ輪又はコブシを形成して結ぶことで、正確にハリス長さ寸法Ｌ１，Ｌ２が規定されたハリスが得られる。
【００１５】
図５に示すように、釣針掛け具１３，１３の内の１つを、第１ケース半体１の内面１Ａに設けたメジャー１４Ａの目盛りに合せ、他の１つを、外面１Ｂのメジャー１４Ｂの目盛りに合せて移動させ、釣針掛け具１３，１３に釣針Ｈ，Ｈを刺して引っ掛ける。次に、一方のハリス（釣糸）Ｔを第１ケース半体１の側端縁に掛けて折返し、他方をハリスＴと併せて真っ直ぐに張り、ピン６に括り付ける。そして、ハリス（釣糸）Ｔ，Ｔを、ピン６に括り付けた箇所で、チチ輪又はコブシを形成して結ぶことで、正確にハリス長さ寸法Ｌ３，Ｌ４が規定されたハリスが得られる。このようにすれば、第１ケース半体１の長さ寸法の２倍の大きさまで、最大ハリス長さ寸法Ｌmax を規定することが可能となる。言い換えると、第１ケース半体１の長さ寸法を抑えて、コンパクトに設計することができる。
【００１６】
次に、本発明の他の実施形態について説明する。
図６と図７に示すように、側端縁を相互に枢結した２個の細長矩形状の第１ケース半体１と第２ケース半体２を有するハリスケースに於て、ハリス長さ規定手段２０を備え、ハリス長さ規定手段２０は、第１ケース半体１の内面１Ａに長手方向に沿ってメジャー２１を設け、かつ、メジャー２１に沿ってスライド可能な複数個の釣針掛け具２２，２２を備えている。
第１ケース半体１は、内面１Ａに凹溝部２３が形成され、凹溝部２３内にガイド細杆２４が配設されている。釣針掛け具２２，２２は、ブロック状のゴム、又は、合成樹脂製の弾性発泡体から成り、ガイド細杆２４に沿ってスライド可能とし、かつ、凹溝部２３の内面に摺接するように嵌込み所定の摩擦抵抗をもってスライドする。釣針掛け具２２は、釣針を引っ掛けるための小突起２５を突設している。メジャー２１は、凹溝部２３に沿って、第１ケース半体１の内面１Ａに取着されている。なお、メジャー２１は、第１ケース半体１の内面１Ａの一部に帯状メジャー（帯尺）を接着等で固着するか、あるいは、第１ケース半体１の内面１Ａ自体に目盛りを付して形成する。
【００１７】
図６では、第１ケース半体１は、凹溝部２３の長手方向一端部（下端部）近傍にピン２６が設けられ、かつ、凹溝部２３の長手方向他端部（上端部）近傍に折返し用のピン２７が設けられている。第２ケース半体２には、閉じたときにピン２６，２７が差し込まれるようにピン収納用孔２８，２９が形成されている。ハリスの長さを規定する使用状態で、折返し用のピン２７にハリスを掛けて折返すことで、第１ケース半体１の長さ寸法の２倍の大きさまで、最大ハリス長さ寸法Ｌmax を規定することが可能となる。その他の構成は、図１のハリスケースと同様である。
【００１８】
図８に示すように、別のハリス長さ規定手段３０を備え、ハリス長さ規定手段３０は、第１ケース半体１の内面１Ａに長手方向に沿って、メジャー３１として帯尺を埋め込んだガイド突条部３２を設け、ガイド突条部３２に沿ってスライド可能な複数個の釣針掛け具３３を備えていても良い。あるいは、メジャー３１として、ガイド突条部３２の上端面に目盛りを形成しても良い。
ガイド突条部３２には、滑り板片３４，３４が嵌着されている。釣針掛け具３３は、板バネ弾性部材から成り、弾発力をもって滑り板片３４，３４に摺接するように嵌着され、ガイド突条部３２に沿って所定の摩擦抵抗をもってスライド移動する。
【００１９】
なお、本発明は、設計変更可能であって、例えば、図１に示す釣針掛け具１３，１３に釣針を引っ掛けるための小突起を設けても良い。
【００２０】
以上のように、本発明に係るハリスケースは、ハリス長さ規定手段１０を備えたので、魚釣りをする現地の条件に合わせて、ハリス長さ寸法を簡単かつ正確に設定できる。ハリスケースと共にハリス長さ規定具を持ち歩く必要がなくなり、荷物が減り、装備を軽くできる。
【００２１】
また、側端縁を相互に枢結した２個の細長矩形状の第１ケース半体１と第２ケース半体２を有するハリスケースに於て、ハリス長さ規定手段１０を備え、ハリス長さ規定手段１０は、第１ケース半体１に貫設した長手方向のスリット１１と、スリット１１内に配設したガイド細杆１２と、ガイド細杆１２に沿ってスライド可能な複数個の釣針掛け具１３，１３と、を備え、さらに、釣針掛け具１３は、ガイド細杆１２及び／又はスリット１１の内面に対して摩擦抵抗をもってスライド可能であり、かつ、スリット１１に沿ってハリス長さ寸法Ｌ１，Ｌ２を計測するためのメジャー１４を設けたので、魚釣りをする現地の条件に合わせて、ハリス長さ寸法を簡単かつ正確に設定できる。ハリスケースと共にハリス長さ規定具を持ち歩く必要がなくなり、荷物が減り、装備を軽くできる。第１ケース半体１にハリス長さ規定手段１０を一体化でき、構造が簡素で、安価に製造できる。
【００２２】
また、メジャー１４は、第１ケース半体１の内面１Ａ及び外面１Ｂに設けられているので、第１ケース半体１の長さ寸法の２倍の大きさまで、最大ハリス長さ寸法Ｌmax を規定することができる。また、第１ケース半体１の長さ寸法を抑えて、コンパクトに設計することができる。
【００２３】
また、側端縁を相互に枢結した２個の細長矩形状の第１ケース半体１と第２ケース半体２を有するハリスケースに於て、ハリス長さ規定手段２０を備え、ハリス長さ規定手段２０は、第１ケース半体１の内面１Ａに長手方向に沿ってメジャー２１を設け、かつ、メジャー２１に沿って所定の摩擦抵抗をもってスライド可能な複数個の釣針掛け具２２，２２を備えたので、魚釣りをする現地の条件に合わせて、ハリス長さ寸法を簡単かつ正確に設定できる。ハリスケースと共にハリス長さ規定具を持ち歩く必要がなくなり、荷物が減り、装備を軽くできる。第１ケース半体１にハリス長さ規定手段２０を一体化でき、構造が簡素で、安価に製造できる。
【符号の説明】
【００２４】
１  第１ケース半体
１Ａ  内面
１Ｂ  外面
２  第２ケース半体
１０  ハリス長さ規定手段
１１  スリット
１２  ガイド細杆
１３  釣針掛け具
１４  メジャー
２０  ハリス長さ規定手段
２１  メジャー
２２  釣針掛け具
Ｌ１  ハリス長さ寸法
Ｌ２  ハリス長さ寸法
【図１】
2017012106.tif 000003
【図２】
2017012106.tif 000004
【図３】
2017012106.tif 000005
【図４】
2017012106.tif 000006
【図５】
2017012106.tif 000007
【図６】
2017012106.tif 000008
【図７】
2017012106.tif 000009
【図８】
2017012106.tif 000010